(57)【要約】      （修正有）【課題】書類や表紙体に曲げ変形・捩れ変形・たれ変形を少なくするために、書類などの穴あけ位置を変えられるパンチ器を提供する。【解決手段】パンチ器は一般にベース、書類のストッパ、作動ハンドル、パンチ穴２１で構成され、加えて中心を示す表示であるセンターマーク１２、からなっている。このセンターマーク１２に加えて、第２のセンターマーク１３および２３、第３のセンターマーク１４および２４を表示する。第２のセンターマーク１３および２３はセンターマーク１２より２ｍｍ、第３のセンターマーク１４および２４はセンターマーク１２より３ｍｍ離れた位置に表示する。【選択図】図５
0003183448.tif 000002
【実用新案登録請求の範囲】
【請求項１】
ファイル表紙体の高さ方向の中央位置とはずれた位置に、用紙のパンチ穴群の中心がくるようにパンチ穴を設けることができる、穴あけ位置を変えられるパンチ器。
【請求項２】
ファイル表紙体の高さ方向の中央位置と、パンチ穴群の中心との距離を３ｍｍ乃至２ｍｍとする、穴あけ位置を変えられるパンチ器。
【考案の詳細な説明】
【技術分野】
【０００１】
書類のパンチ穴はタテ方向の中央点をはさみ対称にあけられている。一方、現行商品のファイルの表紙体１０に取り付けられている綴じ具１の中央は、表紙体１０の高さ方向（タテ方向）の中央位置（以後、表紙体中央と記す）にあり、綴じ具中央は表紙体中央と一致している。  書類のパンチ穴中央、綴じ具中央、表紙体中央の三者を一致させたものが現在のファイル商品となっている。
【背景技術】
【０００２】
こうした事務機具としてのファイル（以後これを表紙体と記す）及びパンチ器についてはＪＩＳにて規格が定められている。このＪＩＳは本考案に深くかかわりがあるために、その要点を一部に説明を加えながら記す。
（イ）先ずファイルについては、現在市販のファイル寸法は、ＪＩＳ  Ｓ  ５５０５事務      用ファイル（フラットファイル）により規格化されている。これによると、表紙体      １０の高さは紙加工寸法高さ（日本ファイル・バインダー協会の統一名称）より10      ｍｍ（Ａ4-Ｅ（Ａ４の横使い）のみ16ｍｍ）大きくなっている。これの視覚的な解      説図が同規格に示されている（図３）。日本規格協会によると、この図は規格では      なく、参考技術情報であるという。しかしながら、市場商品の表紙体はこの図にな      らい、用紙寸法より上下に5ｍｍ（A4-Eでは8ｍｍ）づつ大きくなっている。その大      きい部分が書類の上部、下部にそれぞれ余長aまたはdとなって突き出ている            （図３）。
（ロ）次にパンチ器については、ＪＩＳ  Ｓ  ６０４１  事務用穴あけ器、およびＪＩＳ      Ｓ  ６０４１  事務用穴あけ器（追補１）  により形状および材質などが規定され      ている。形状の一例として、規格内の図１には「中心を示す表示」の例示がある        が、詳しい位置などは示されていない。
（ハ）こうした状況の下で、表紙体は高さ方向の１/２位置に綴じ具中央を取り付け、一      方書類はタテ方向の１/２位置に、パンチ器にある「中心を示す位置マーク」１２      （以後センターマークと記す）を合わせて穴をあけることでＪＩＳの解説図            （図３）を満足させてきた。（図４（イ））
【０００３】
注意すべきは表紙体上での綴じ具やパンチ穴の位置は規格化されていないことである。
【０００４】
また、背幅の広いファイル、綴じ穴が多穴式の場合も上記の規格を準用している。
【０００５】
用紙の綴じ穴と綴じ位置については、各種の工夫がなされている。
（イ）穴あけ位置を用紙の外形により決める工夫（特許文献１）
（ロ）穴あけ位置を用紙中心と、用紙外形から決める工夫（特許文献２）
（ハ）パンチ刃の本数より多くの穴をあける工夫（特許文献３）
（ニ）２穴あるいは４穴と選択的に穿孔する工夫（特許文献４）
（ホ）産業用に紙葉が厚い場合や枚数が多い場合に、連続的に自由な穴間隔で穿孔する工      夫（特許文献５）
（ヘ）綴じ具位置を表紙体中央からずらせることによる効果の工夫（特許文献６）
などがあるが、用紙と表紙体との位置関係を考慮した工夫は（ヘ）以外には見当ら      ない。
【０００６】
パンチ穴中央、綴じ具中央、表紙体中央の位置関係を変えることが出来ると、棚板と接する表紙体の下辺と、書類の下辺との位置関係を調整することができ、書類保管時に書類が捩れるように変形するのを防ぐことが可能となる。  
【先行技術文献】
【特許文献】
【０００７】
【特許文献１】実開昭６１−１１７６９９
【特許文献２】実開昭６３−３２７９５
【特許文献３】特開２００４−２６８１８０
【特許文献４】特開平１１−３４７９９７
【特許文献５】特開２００８−１９４７９０
【特許文献６】実用新案登録第３１７５１２１号
【考案の概要】
【考案が解決しようとする課題】
【０００８】
従来より、次のような問題点があった。
（イ）書類をファイルに保存して書棚等にたてておくと、時間経過とともに書類の開き側      下方が巻き込むように曲がり、捩れ変形を起こす。又は、一方向に寄りかかるよう      に下部が曲がる。
（ロ）一方、ファイルを直立させるために表紙体には固い材料を用いることが多いが、こ      の硬質の表紙体までも「ハ」の字形に開き、表紙体の開き側（図２）が高さ方向        （タテ方向）に円弧状に変形を生じる。
（ハ）この曲がり癖の付いた書類は、手で伸ばしたり、重しを載せたり、アイロンでプレ      スするなどの手間をかけても、平らに直すことが容易でない。この状態の書類は使      いにくく、見映えも悪い。
（ニ）曲がり癖の付いた書類は扱いにくい為に、コピーし直され、癖の付いた書類は破棄      される。ここに無駄がありエコでない。   
（ホ）また、表紙体は損傷するまで繰り返し転用使用できるような強い材質を用いられて      いるが、表紙体が厚手で硬質であることから、この曲がり癖を平らに直すことは書      類よりもなお困難で、曲がり癖の付いた表紙体は損傷する前に破棄されることが多      い。ここにも無駄がありエコでない。
（ヘ）比較的最近の考案で、綴じ具の脱着を可能にしたファイルがある。これは変形した      表紙体から綴じ具だけを取り外し、綴じ具のついていない新しい表紙体に取り付け      ることで綴じ具を転用し、資源の節約を図るばかりでなく、ゴミの分別収集にも役      立たせる優れた考案である。しかし、表紙体の変形には効果がない。
（ト）以上の問題点を解決しようとする考案に特許文献６があり、それと同等の効果を、      別の手段で達成するのに、本考案がある。
【課題を解決するための手段】
【０００９】
本考案は書類と表紙体１０のタテ方向の位置関係を変えることで課題を解決するものである。       
【００１０】
本課題の解決策には、ファイルの下部の余長を利用する。すなわち、現在のパンチ器商品で言えば、現行のセンターマークから３ｍｍ乃至２ｍｍ移動した位置に第２、第３のセンターマークをつけ、これらの位置に書類の高さ方向（タテ方向）の１/２位置を合わせてパンチすることで、書類の下辺と表紙体の下辺との間に望ましい関係を与えることができた。すなわち、ファイルされたとき書類が捩れ変形を起こしにくい状態を作り出す。（この物理的、力学的理由と効果は特許文献６と、同文献の実用新案技術評価請求書に詳しく述べた。）この措置は、現在の生産ラインを殆ど変える必要がないというメリットもある。
【００１１】
一方、無数に現存する使用中のファイルにおいても書類が捩れ変形を起こしにくい状態を手に入れるのに本考案が役に立つ。すなわち、既に綴じ込まれた用紙でも本考案によるパンチ器の第２、第３のセンターマークを使って再パンチし元のファイルに綴じることで、ファイルされた書類が捩れ変形を起こしにくい状態を実現することができる。
【００１２】
第２、第３のセンターマークの使い分けは、綴じ具のパイプ直径５．１ｍｍ以上のファイルでは３ｍｍ点を、５．１ｍｍ未満のパイプ直径では３乃至２ｍｍ点またはその中間点を使う。これはファイルメーカにより異なる。
【考案の効果】
【００１３】
本考案による具体的効果は、ファイルされた書類が捩れ変形を起こしにくいことであるが、以下に詳しく記す。
（イ）このファイルを並べて書棚に立てておいても書類等の曲がり癖は殆ど付かない。        従って、長期間綴じ込んだ書類でも、快適に再使用できる。この使用感の変化は著      しい。
（ロ）曲がり癖の付いた書類は再コピーされて保存し、古いものは破棄される場合にくら      べると、書類に曲がり癖が付かないことは省資源効果が大きい。
（ハ）ポケット付きの台紙の場合とか、袋状ページの場合は、収納する資料類に変形をつ      けないために、従来は棚に平置きされていたが、これらの資料類のうちのかなりの      数が、ファイルを立てて並べて保管できるので、省スペース効果を期待できる。
（ニ）一方、表紙体は綴じこんだ書類の目方に起因する変形歪が殆ど生じないことから、      表紙体は損傷するまで何回も転用使用が出来る。従来は、表紙体に変形歪が生じる      と破棄されていたから、表紙体の資材節約効果は大きい。
（ホ）その上に、表紙体にかかる書類の目方が激減するから、表紙体には現行よりも薄い      材を使用できる、という資源節約効果も大きい。
【図面の簡単な説明】
【００１４】
【図１】ファイルの見開き図
【図２】ファイルの姿図
【図３】ＪＩＳ  Ｓ  ５５０５―１９９４の解説図
【図４】（イ）現行のパンチ器の見下ろし図                                            （ロ）現行のパンチ器のベース面（パンチ面）の一例
【図５】実施例１のベース面（パンチ面）の一例                                              なお、図５は細かくなる部分（１２、１３、１４の間隔、および１２、            ２３、２４の間隔）を拡大して表示してある。
【考案を実施するための形態】
【００１５】
以下、本発明の実施の形態について説明する。
【実施例１】
【００１６】
図４（イ）および（ロ）に示すように現行のパンチ器は一般にベース１９、書類のストッパ１８、作動ハンドル２０、パンチ穴２１に加えて中心を示す表示であるセンターマーク１２、からなっている。
【００１７】
本考案はこのセンターマーク１２に加えて、図５に示すように第２のセンターマーク１３および２３、第３のセンターマーク１４および２４を表示する。
【００１８】
第２のセンターマーク１３および２３はセンターマーク１２より２ｍｍ、第３のセンターマーク１４および２４はセンターマーク１２より３ｍｍ離れた位置に表示する。
【００１９】
以下、本考案に係るパンチ器の使用について説明する。
書類（図示せず）の表を上にして、左綴じする場合は書類の左側にパンチ穴をあけるが、このときは「書類の左側にパンチするとき」の領域を使う。
同じく書類の表を上にして、右綴じする場合は書類の右側にパンチ穴をあけるが、このときは「書類の右側にパンチするとき」の領域を使う。
【００２０】
段落番号００１９で述べたように本パンチ器を使うことにより段落番号００１３項に述べた効果を実現できる。
【符号の説明】
【００２１】
１  綴じ具
１０  表紙体
１２  現行のセンターマーク
１３  書類の左側にパンチするとき、現行センターマーク１２より位置を２ｍｍず            らせた第２のセンターマーク
１４  書類の左側にパンチするとき、現行センターマーク１２より位置を３ｍｍず            らせた第３のセンターマーク
２３  書類の右側にパンチするとき、現行センターマーク１２より位置を２ｍｍず            らせた第２のセンターマーク
２４  書類の右側にパンチするとき、現行センターマーク１２より位置を３ｍｍず            らせた第３のセンターマーク
１８  書類のストッパ
１９  ベース面（パンチ面）
２０  作動ハンドル
２１  抜き穴（パンチ穴）
【図１】
0003183448.tif 000003
【図２】
0003183448.tif 000004
【図３】
0003183448.tif 000005
【図４】
0003183448.tif 000006
【図５】
0003183448.tif 000007
【手続補正書】
【提出日】平成25年2月20日(2013.2.20)
【手続補正１】
【補正対象書類名】実用新案登録請求の範囲
【補正対象項目名】全文
【補正方法】変更
【補正の内容】
【実用新案登録請求の範囲】
【請求項１】
ファイルする用紙類の高さ方向中央に穴を明けるためのセンターマーク（１２）と、前記センターマーク（１２）とは異なる位置にセンターマークを複数設けることを特徴とする、穴あけ位置を変えられるパンチ器。
【請求項２】
前記センターマークと前記センターマーク（１２）との距離を３ｍｍ乃至２ｍｍとすることを特徴とする請求項１記載の、穴あけ位置を変えられるパンチ器。